(57)【要約】【課題】食品ごみが収容されているごみ袋を破袋して、食品ごみとごみ袋とに分別する食品ごみの破袋分別機において、食品ごみが破袋分別機の内部で滞留や付着することを抑止して、効率的に破袋・分別を行うことができる食品ごみの破袋分別機を提供する。【解決手段】破袋分別機のドラム体を構成する上部ケ−シング１の一端側に設けられている食品ごみ投入口２は、ドラム体の軸線Ｘ−Ｘから、羽根車の回転方向側に寄った位置に開口している。【選択図】図１
2006110469.tif 000002
【特許請求の範囲】
【請求項１】
横置きの円筒体と、
該円筒体の内部に軸方面に沿って軸支された羽根車と、
前記円筒体の上部の一端側であって、前記円筒体の軸線よりも前記羽根車の回転方向側に開口され、前記円筒体へごみ袋に収容された食品ごみを投入する投入口と、
前記円筒体の上部の他端側に開口され、前記円筒体からごみ袋を排出する袋排出口と、
前記円筒体の下部に複数開口され、前記円筒体から食品ごみを排出するごみ排出口と、
前記円筒体の開口部以外の上部内面に沿って取り付けられ、前記該羽根車の回転に伴い投入物を前進させる複数の弧状のガイド板と
を具備することを特徴とする食品ごみの破袋分別機。
【請求項２】
横置きの円筒体と、
該円筒体の内部に軸方面に沿って軸支された羽根車と、
前記円筒体の上部の一端側に開口され、前記円筒体へごみ袋に収容された食品ごみを投入する直方体状の投入口と、
前記円筒体の上部の他端側に開口され、前記円筒体からごみ袋を排出する袋排出口と、
前記円筒体の下部に複数開口され、前記円筒体から食品ごみを排出するごみ排出口と、
前記円筒体の開口部以外の上部内面に沿って取り付けられ、前記羽根車の回転に伴い投入物を前進させる複数の弧状のガイド板と
を具備する食品ごみの破袋分別機において、
前記投入口は、前記羽根車の回転軸に平行な２つの側面を備え、
該２つの側面の内、前記回転軸から遠い側の側面は内側が下向きに傾倒している
ことを特徴とする食品ごみの破袋分別機。
【請求項３】
前記投入口に、前記円筒体の内部へ注水する注水手段を設けたことを特徴とする請求項１または２に記載の食品ごみの破袋分別機。
【請求項４】
前記ごみ排出口の下側へ排出された食品ごみを集合させて回収するスカート部を備え、
該スカート部と前記ごみ排出口の間隙を１００ｍｍ以上としたことを特徴とする請求項１〜３のいずれかに記載の食品ごみの破袋分別機。
【発明の詳細な説明】
【技術分野】
【０００１】
本発明は、食品ごみが収容されているごみ袋を破袋して、食品ごみとごみ袋とに分別する食品ごみの破袋分別機に関する。
【背景技術】
【０００２】
各家庭や食堂等から排出される食品ごみは、通常、樹脂製のごみ袋に収容されている状態で回収されるので、食品ごみを醗酵処理する際に、破袋分別機でごみ袋を破袋して、生物処理できる食品ごみと、生物処理できないごみ袋とに分別するようにしている。
【０００３】
このような食品ごみの破袋分別機としては、従来、特許文献１や特許文献２に開示されている破袋分別機が使用されている。
【０００４】
図４は、この食品ごみの破袋分別機を示す図であり、（ａ）は破袋分別機の正面図、（ｂ）は（ａ）のＡ−Ａ断面図、（ｃ）は破袋分別機を構成する上部ケ−シングの平面図、（ｄ）は破袋分別機を構成する下部ケ−シングの平面図である。
【０００５】
この破袋分別機は、上部ケ−シング２１と下部ケ−シング２２とで構成される横長のドラム体２３と、ドラム体２３の上部ケ−シング２１内壁に螺旋状となるように突設されているガイド板２４と、ドラム体２３の軸方向に沿って軸支された回転軸２５と４枚の回転羽根２６とからなる羽根車２７とから構成されている。
【０００６】
この破袋分別機を詳述すると、食品ごみが収容されたごみ袋は、上部ケ−シング２１に設けられた投入口２８からドラム体２３内に投入される。ドラム体２３内では羽根車２７の４枚の羽根２６が、ガイド板２４の先端と下部ケ−シング２２の内壁面に接するような状態で高速回転しており、ドラム体２３内に投入されたごみ袋は、ドラム体２３内を軸線に対して傾斜して設けられた複数のガイド板２４にガイドされながら、投入口２８の位置から軸方向に沿って移動する。そして、４枚の羽根２６の打撃力と、羽根２６と下部ケ−シング２２との間に発生するせん断力により破壊され、ごみ袋は帯状に食品ごみは粉々に粉砕される。
【０００７】
下部ケ−シング２２は、多数のパンチング孔２９が設けられたスクリ−ンとなっており、粉砕された食品ごみは、下部ケ−シング２２のパンチング孔２９を通過して下方に排出される。
【０００８】
一方、帯状に破壊されたごみ袋は、下部ケ−シング２２のパンチング孔２９からは排出されず、ガイド板２４に沿ってドラム体２３内を軸方向に移動し、上部ケ−シング２１の投入口２８を設けた端部とは逆の端部に設けたごみ袋排出口３０から排出される。
【０００９】
なお、下部ケ−シング２２のパンチング孔２９を通過して下方に排出される食品ごみは、図４（ｂ）の断面図に示すように、下部ケ−シング２２の下方に設けたスカ−ト部３１により中央部分に集められ、スクリュ−コンベア等（図示せず）により回収される。
【特許文献１】特開２００２−１７７８８８号公報
【特許文献２】特開２００２−２３９４０８号公報
【発明の開示】
【発明が解決しようとする課題】
【００１０】
しかしながら、上述した特許文献１や特許文献２に開示された食品ごみの破袋分別機には、以下に述べるような、投入物がスムースに処理されないという問題点があった。
【００１１】
（１）ごみ袋投入口の中心位置が上部ケ−シングの軸線に近い位置に設けられているので、羽車の羽で跳ね飛ばされた食品ごみ及びごみ袋が、投入口の回転方向前方の側壁に当たり、食品ごみ及びごみ袋が側壁に付着しては落下するという現象が発生し、それに起因して投入物が投入口付近で滞留する。
【００１２】
（２）含水率８０％以上の厨芥類や含水率の低い粉体、粒状物等の処理は問題ないが、粘度の高い食品ごみを処理する場合、すなわち、うどん、ご飯等の粘着性のあるもの（でん粉を含むもの）や含水率５０〜７０％程度の食品ごみを処理する場合、食品ごみがごみ袋に付着して、食品ごみとごみ袋とを容易に分離・分別することができず、食品ごみの回収率が低下する。
【００１３】
（３）スカ−ト部と下部ケ−シングとの間の狭い隙間（特に、下部ケ−シング両脇部分）に食品ごみが付着・堆積して隙間を埋め、下部ケ−シングから食品ごみを排出できる面積が減少してしまうので、ドラムからの食品ごみの排出が滞り、終には羽根車を回転させるための電動機をトリップさせる。この状態に陥ると破袋分別機の点検口を開放して、内部に残った食品ごみを人力で取り去り、負荷のない状態としてから再度立ち上げる必要があり、作業員の労力と時間を大幅に費やすことになる。さらには、このようにして付着・堆積した食品ごみが腐敗して悪臭の原因となる。
【００１４】
本発明は、上記の事情に鑑みてなされたものであり、食品ごみが収容されているごみ袋を破袋して、食品ごみとごみ袋とに分別する食品ごみの破袋分別機において、食品ごみが破袋分別機の内部で滞留や付着することを抑止して、効率的に破袋・分別を行うことができる食品ごみの破袋分別機を提供することを目的とするものである。
【課題を解決するための手段】
【００１５】
上記の課題を解決するために、本発明は以下の特徴を有する。
【００１６】
［１］横置きの円筒体と、
該円筒体の内部に軸方面に沿って軸支された羽根車と、
前記円筒体の上部の一端側であって、前記円筒体の軸線よりも前記羽根車の回転方向側に開口され、前記円筒体へごみ袋に収容された食品ごみを投入する投入口と、
前記円筒体の上部の他端側に開口され、前記円筒体からごみ袋を排出する袋排出口と、
前記円筒体の下部に複数開口され、前記円筒体から食品ごみを排出するごみ排出口と、
前記円筒体の開口部以外の上部内面に沿って取り付けられ、前記該羽根車の回転に伴い投入物を前進させる複数の弧状のガイド板と
を具備することを特徴とする食品ごみの破袋分別機。
【００１７】
［２］横置きの円筒体と、
該円筒体の内部に軸方面に沿って軸支された羽根車と、
前記円筒体の上部の一端側に開口され、前記円筒体へごみ袋に収容された食品ごみを投入する直方体状の投入口と、
前記円筒体の上部の他端側に開口され、前記円筒体からごみ袋を排出する袋排出口と、
前記円筒体の下部に複数開口され、前記円筒体から食品ごみを排出するごみ排出口と、
前記円筒体の開口部以外の上部内面に沿って取り付けられ、前記羽根車の回転に伴い投入物を前進させる複数の弧状のガイド板と
を具備する食品ごみの破袋分別機において、
前記投入口は、前記羽根車の回転軸に平行な２つの側面を備え、
該２つの側面の内、前記回転軸から遠い側の側面は内側が下向きに傾倒している
ことを特徴とする食品ごみの破袋分別機。
【００１８】
［３］前記投入口に、前記円筒体の内部へ注水する注水手段を設けたことを特徴とする前記［１］または［２］に記載の食品ごみの破袋分別機。
【００１９】
［４］前記ごみ排出口の下側へ排出された食品ごみを集合させて回収するスカート部を備え、
該スカート部と前記ごみ排出口の間隙を１００ｍｍ以上としたことを特徴とする前記［１］〜［３］のいずれかに記載の食品ごみの破袋分別機。
【発明の効果】
【００２０】
本発明により、食品ごみが破袋分別機の内部で滞留や付着することが抑止され、破袋・分別作業を効率的に行うことができる。
【発明を実施するための最良の形態】
【００２１】
この発明を実施するための最良の形態を、図面を参照して説明する。
【００２２】
なお、この食品ごみの破袋分別機は、図４により説明した従来の食品ごみの破袋分別機と同様に、上部ケ−シングと下部ケ−シングとで構成される横長のドラム体と、ドラム体の上部ケ−シング内壁に螺旋状となるように突設されているガイド板と、ドラム体の軸方向に沿って軸支された回転軸と４枚の回転羽根とからなる羽根車と、下部ケ−シングの下方に設けたスカ−ト部とから構成され、食品ごみの処理方法も従来の食品ごみの破袋分別機と同様な方法で行われるようになっているので、従来と同様な部分の説明は省略し、本発明の特徴点についてのみ説明する。
【００２３】
図１〜図３は、この発明に係る食品ごみの破袋分別機の最良の実施の形態を示す説明図であり、図１（ａ）はこの破袋分別機のドラム体を構成する上部ケ−シングの平面図、図１（ｂ）は図１（ａ）のＡ−Ａ断面図、図２はこの破袋分別機のドラム体を構成する上部ケ−シングの側面図、図３はこの破袋分別機のドラム体を構成する下部ケ−シングとスカ−ト部の正面図である。
【００２４】
図１（ａ）に示すように、この破袋分別機のドラム体を構成する上部ケ−シング１の一端側に設けられている食品ごみ投入口２は、ドラム体の軸線Ｘ−Ｘから、羽根車（図示せず）の回転方向側に寄った位置に開口している。なお、上部ケ−シング１内で回転している羽根車（図示せず）は、図１（ａ）の軸線Ｘ−Ｘの下側から上側へと回転している。
【００２５】
このように、投入口２が上部ケ−シング１の軸線Ｘ−Ｘから羽根車の回転方向側に寄った位置に開口しているので、羽根車によって投入物に作用する接線方向の力と遠心力の合力に起因して投入物が投入口２内で跳ね上がる現象を抑えることができる。
【００２６】
また、投入口２付近のガイド板４ａは、他の領域のガイド板４よりも大きな傾きを有しており、それによって、投入物の前進速度が速くなるようにしている。
【００２７】
上記のように構成された投入口２とガイド板４ａを有しているので、投入物を滞留させることなく移動させることができる。
【００２８】
また、図１（ａ）、（ｂ）に示すように、投入口２は、羽根車の回転軸Ｘ−Ｘに平行な２つの側面２ａ、２ｂを備えており、その内、回転軸Ｘ−Ｘから遠い側の側面２ａの内側に、逆くの字状のＳＵＳ製の傾斜板５が設けられている。
【００２９】
このような傾斜板５を設けているので、例え、投入物が羽根車により跳ね上げられて、この壁面２ａに衝突したとしても、この部分に食品ごみが付着するという現象はなくなる。
【００３０】
したがって、従来のように食品ごみが投入口の壁面に付着しては落下するという現象に起因して発生していた投入物の投入口付近での滞留が防止できる。
【００３１】
また、図２に示すように、上部ケ−シング１の長手方向に沿って、投入口２からごみ袋排出口６手前までの間に注水用の配管７が設けられており、配管７から複数の枝管８が上部ケ−シング１まで配管され、枝管８には投入口２に投入されたごみ袋に向かって注水するノズル９が設けられている。
【００３２】
このように、ノズル９によりごみ袋に注水できるようにしているので、うどん、ご飯等の粘着性のあるものや含水率５０〜７０％程度の食品ごみを処理する場合でも、注水した洗浄水によりごみ袋表面に付着している食品ごみの粘度が低下し、食品ごみをごみ袋から容易に分離させることができ、食品ごみの回収率を向上させることができるとともに、回収されたごみ袋の処理が容易になる。なお、注水ノズル９以外の注水ノズル１０はドラム内を洗浄するためのものである。
【００３３】
また、図３に示すように、この破袋分別機のドラム体を構成する下部ケ−シング１１から排出される食品ごみを回収するために、下部ケ−シング１１の上端部分に取り付けられるスカ−ト部１２の形状を、下部ケ−シング１１の上端部分において、下部ケ−シング１１の外面とスカ−ト部１２の側壁１２ａの内面との間の隙間Ｓが少なくとも１００ｍｍとなるように、スカ−ト部１２の左右両側の側壁１２ａを下部ケ−シング１１から外側に張り出させるとともに、側壁１２ａを一定勾配の傾斜面として、下部ケ−シング１１から排出される食品ごみがスカ−ト部１２内で付着・滞留することなく、スカ−ト部１２の下端の排出口１３で回収されるようにしている。
【００３４】
なお、スカ−ト部１２の形状を上述のような形状にしたことにより、図３に示す下部ケ−シング１１の食品ごみ排出範囲θが従来に比べて狭くなることはない。
【００３５】
上記のように、この実施形態に係る食品ごみの破袋分別機においては、投入した食品ごみの跳ね返りや堆積を防止でき、分別処理量を向上させることができる。また、従来の食品ごみの破袋分別機ではごみ袋との分別が困難であった、うどん、ご飯等の粘着性のあるもの（でん粉を含むもの）や含水率５０〜７０％程度の食品ごみを容易に分別処理することができる。
【図面の簡単な説明】
【００３６】
【図１】本発明の最良の実施形態に係る食品ごみの破袋分別機を示す説明図であり、（ａ）は破袋分別機のドラム体を構成する上部ケ−シングの平面図、（ｂ）は（ａ）のＡ−Ａ断面図である。
【図２】本発明の最良の実施形態に係る食品ごみの破袋分別機におけるドラム体を構成する上部ケ−シングの側面図である。
【図３】本発明の最良の実施形態に係る食品ごみの破袋分別機におけるドラム体を構成する下部ケ−シングとスカ−ト部の正面図である。
【図４】従来の食品ごみの破袋分別機を示す図であり、（ａ）は破袋分別機の正面図、（ｂ）は（ａ）のＡ−Ａ断面図、（ｃ）は破袋分別機のドラム体を構成する上部ケ−シングの平面図、（ｄ）は破袋分別機のドラム体を構成する下部ケ−シングの平面図である。
【符号の説明】
【００３７】
１  上部ケ−シング
２  食品ごみ投入口
４、４ａ  ガイド板
５  傾斜板
６  ごみ袋排出口
７  配管
８  枝管
９、１０  ノズル
１１  下部ケ−シング
１２  スカ−ト部
１２ａ  スカ−ト部の側壁
１３  排出口
【図１】
2006110469.tif 000003
【図２】
2006110469.tif 000004
【図３】
2006110469.tif 000005
【図４】
2006110469.tif 000006